(57)【特許請求の範囲】
【請求項１】
ペット用吸収性シートであって、
ペットが排泄を行う側の表面である排泄面と、
前記排泄面と対向する表面である載置面と、
前記ペット用吸収性シートの外縁を形成する本体外縁部と、
前記ペット用吸収性シートの内側から前記本体外縁部に向かう方向である外側方向と、
前記ペット用吸収性シートの前記本体外縁部から内側に向かう方向である内側方向と、
吸収体と、
前記吸収体の外縁を形成する吸収体外縁部と、
前記吸収体外縁部を含む領域である吸収体外縁領域と、
前記吸収体外縁領域よりも前記内側方向に形成された吸収体中央領域と、
前記吸収体における前記排泄面側から視認可能な配色領域と、
前記排泄面側に配置される透液性の表面シートと、
前記載置面側に配置される不透液性の裏面シートと、
前記吸収体に設けられた、コア層と、前記コア層における前記排泄面側に形成されたコア層表面と、前記コア層における前記載置面側に形成されたコア層裏面と、前記コア層表面とコア層裏面の間に形成されたコア層側面と、
前記コア層表面の少なくとも一部を覆う第１の被覆シートと、前記第１の被覆シートにおける前記排泄面側に形成された第１の被覆シート表面と、前記第１の被覆シートにおける前記載置面側に形成された第１の被覆シート裏面と、
前記コア層裏面の少なくとも一部を覆う第２の被覆シートと、
を有し、
前記第２の被覆シートは、前記コア層裏面から前記コア層側面を経由して前記コア層表面の一部および前記第１の被覆シート表面に亘り形成され、
前記第１の被覆シートは、Ｌ＊ａ＊ｂ表色系のＬ＊値が５０以下であり、
前記第２の被覆シートは、Ｌ＊ａ＊ｂ表色系のＬ＊値が８０以上であり、
前記配色領域は、第１の配色領域と、第２の配色領域と、第３の配色領域とを有し、
前記第１の配色領域と、前記第２の配色領域と、前記第３の配色領域により配色パターンを形成し、
前記第１の配色領域は、前記第２の被覆シートにより構成され、
前記第２の配色領域は、前記第１の被覆シートと前記第２の被覆シートにより構成され、
前記第３の配色領域は、前記第１の被覆シートにより構成されることを特徴とするペット用吸収性シート。
【請求項２】
請求項１に記載されたペット用吸収性シートであって、
前記第１の配色領域が前記外側方向に形成されており、
前記第２の配色領域が前記第１の配色領域よりも前記内側方向に形成されており、
前記第３の配色領域が前記第２の配色領域よりも前記内側方向に形成されていることを特徴とするペット用吸収性シート。
【請求項３】
請求項１または２に記載されたペット用吸収性シートであって、
前記第１の配色領域が前記吸収体外縁領域に形成されていることを特徴とするペット用吸収性シート。
【請求項４】
請求項１〜３のいずれか１項に記載されたペット用吸収性シートであって、
前記第３の配色領域が前記吸収体中央領域に形成されていることを特徴とするペット用吸収性シート。
【請求項５】
請求項１〜４のいずれか１項に記載されたペット用吸収性シートであって、
前記ペット用吸収性シートは、
前記ペット用吸収性シート上の任意の点を通過する長手方向と、
前記長手方向と交差する方向である長手交差方向とを有し、
前記吸収体は、前記長手方向上における第１の吸収体端部と、前記長手交差方向上における第２の吸収体端部を有することを特徴とするペット用吸収性シート。
【請求項６】
請求項５に記載されたペット用吸収性シートであって、
前記第１の配色領域は、前記第１の吸収体端部に形成されていることを特徴とするペット用吸収性シート。
【請求項７】
請求項５に記載されたペット用吸収性シートであって、
前記第１の配色領域は、前記第２の吸収体端部に形成されていることを特徴とするペット用吸収性シート。
【請求項８】
請求項５に記載されたペット用吸収性シートであって、
前記第１の配色領域は、前記第１の吸収体端部および前記第２の吸収体端部に形成されていることを特徴とするペット用吸収性シート。
【請求項９】
請求項１〜８のいずれか１項に記載されたペット用吸収性シートであって、
前記表面シートは、エアスルー不織布により形成されていることを特徴とするペット用吸収性シート。
【請求項１０】
請求項９に記載されたペット用吸収性シートであって、
前記表面シートは、畝部と、隣り合う前記畝部同士の間に形成された溝部と、前記溝部が連続する方向に沿って間隔を空けて設けられた開口部と有することを特徴とするペット用吸収性シート。
【請求項１１】
請求項１〜１０に記載されたペット用吸収性シートであって、
前記第１の被覆シートは、ティッシュペーパーにより構成されることを特徴とするペット用吸収性シート。
【請求項１２】
請求項１〜１１に記載されたペット用吸収性シートであって、
前記第２の被覆シートは、ティッシュペーパーにより構成されることを特徴とするペット用吸収性シート。
【請求項１３】
請求項１〜１２のいずれか１項に記載されたペット用吸収性シートであって、
前記表面シートと前記吸収体との間に中間シートが配置され、
前記中間シートは、前記中間シートにおける前記排泄面側に形成された中間シート表面と、前記中間シートにおける前記載置面側に形成された中間シート裏面とを有することを特徴とするペット用吸収性シート。
【請求項１４】
請求項１３に記載されたペット用吸収性シートであって、
前記中間シートは、前記表面シートよりも繊維密度が高く形成されていることを特徴とするペット用吸収性シート。
【請求項１５】
請求項１３または１４のいずれか１項に記載されたペット用吸収性シートであって、
前記中間シートは、２つのスパンボンド不織布層の間にメルトブローン不織布層を有する複合不織布からなることを特徴とするペット用吸収性シート。
【請求項１６】
請求項１３〜１５のいずれか１項に記載されたペット用吸収性シートであって、
前記中間シート表面の面積は、前記コア層表面の面積よりも狭く形成され、
前記第１の被覆シート表面の面積は、前記中間シート表面の面積よりも狭く形成され、
前記第１の配色領域は、前記第２の被覆シートにより形成され、
前記第２の配色領域は、前記第１の被覆シートと、前記第２の被覆シートと、前記中間シートにより形成され、
前記第３の配色領域は、前記中間シートと前記第１の被覆シートにより形成されていることを特徴とするペット用吸収性シート。
【発明の詳細な説明】
【技術分野】
【０００１】
本発明は、ペット用吸収性シートに係り、特に排泄物の隠蔽性に優れたペット用吸収性シートに関する。
【背景技術】
【０００２】
従来より、特に室内で飼育されるペットの排泄物処理に使用されるペット用吸収性シートがある。例えば、特開２０１２−１３０２８６号に示されるペット用吸収性シートが提案されている。
【０００３】
特開２０１２−１３０２８６号に係るペット用吸収性シートは、液透過性の表面シートと、吸収体との間に黒色系成分を含む液透過性の有色シートが配置されている。そして、有色シートと吸収体との間に、有色シートの黒色成分よりもＬ＊値が大きく、かつ全光線透過率が表面シートよりも低く、さらに液保持可能である液透過性の中間シートが配置されている。
【０００４】
この特開２０１２−１３０２８６号に係るペット用吸収性シートに対し、ペットが排泄を行う。すると、排泄物は、表面シートを通過した後に、中間シートに到達する。この中間シートは液保持性可能である。よって、液を保持した状態の中間シートは、下側にある有色シートに押し当てられる。また、中間シートは液透過性でもあるので、中間シートの排泄物は、有色シートへ移行する。このとき、有色シートの黒色が、濡れていない部分と比較して浮き出て見える。中間シート６が液保持可能なために、この浮き出て見える時間が暫く続く。
その後、有色シートに保持された排泄物が、吸収体に保持される。排泄物が通過した有色シートにおいては、黒色系消臭剤の黒色が目立ち難くなる。よって、排尿されてから時間が経過することにより、排尿後のシートであることが分かり難くなる。
【０００５】
このように、特開２０１２−１３０２８６号に係るペットシートは、ペットがペットシートに排泄したことを、使用者が認識しやすいように構成されていた。
一方、実現しようとするペット用吸収性シートによっては、排泄後の尿の輪郭を表面シートから見え難くしたい場合があった。
【先行技術文献】
【特許文献】
【０００６】
【特許文献１】特開２０１２−１３０２８６号公報
【発明の概要】
【発明が解決しようとする課題】
【０００７】
本発明は、このような点に鑑みて創案されたものであり、排泄物の隠蔽性が良好であるペット用吸収性シートを提供することを目的とする。
【課題を解決するための手段】
【０００８】
上記課題を解決するため、本発明に係るペット用吸収性シートの好ましい形態によれば、ペットが排泄を行う側の表面である排泄面と、排泄面と対向する表面である載置面と、ペット用吸収性シートの外縁を形成する本体外縁部と、ペット用吸収性シートの内側から本体外縁部に向かう方向である外側方向と、ペット用吸収性シートの本体外縁部から内側に向かう方向である内側方向と、吸収体と、吸収体の外縁を形成する吸収体外縁部と、吸収体外縁部を含む領域である吸収体外縁領域と、吸収体外縁領域よりも内側方向に形成された吸収体中央領域と、吸収体における排泄面側から視認可能な配色領域と、排泄面側に配置される透液性の表面シートと、載置面側に配置される不透液性の裏面シートと、吸収体に設けられた、コア層と、コア層における排泄面側に形成されたコア層表面と、コア層における載置面側に形成されたコア層裏面と、コア層表面とコア層裏面の間に形成されたコア層側面と、コア層表面の少なくとも一部を覆う第１の被覆シートと、第１の被覆シートにおける排泄面側に形成された第１の被覆シート表面と、第１の被覆シートにおける載置面側に形成された第１の被覆シート裏面と、コア層裏面の少なくとも一部を覆う第２の被覆シートと、を有する。
さらに、第２の被覆シートは、コア層裏面からコア層側面を経由してコア層表面の一部および第１の被覆シート表面に亘り形成される。
さらに、第１の被覆シートは、Ｌ＊ａ＊ｂ表色系のＬ＊値が５０以下であり、第２の被覆シートは、Ｌ＊ａ＊ｂ表色系のＬ＊値が８０以上である。
配色領域は、第１の配色領域と、第２の配色領域と、第３の配色領域とを有し、第１の配色領域と、第２の配色領域と、第３の配色領域により配色パターンを形成する。
第１の配色領域は、第２の被覆シートにより構成され、第２の配色領域は、第１の被覆シートと第２の被覆シートにより構成され、第３の配色領域は、第１の被覆シートにより構成される。
【０００９】
本発明に係るペット用吸収性シートのさらなる形態によれば、第１の配色領域が外側方向に形成されており、第２の配色領域が第１の配色領域よりも内側方向に形成されており、第３の配色領域が第２の配色領域よりも内側方向に形成されている。
【００１０】
本発明に係るペット用吸収性シートのさらなる形態によれば、第１の配色領域が吸収体外縁領域に形成されている。
【００１１】
本発明に係るペット用吸収性シートのさらなる形態によれば、第３の配色領域が吸収体中央領域に形成されている。
【００１２】
本発明に係るペット用吸収性シートのさらなる形態によれば、ペット用吸収性シートは、前記ペット用吸収性シート上の任意の点を通過する長手方向と、前記長手方向と交差する方向である長手交差方向とを有する。
さらに、吸収体は、長手方向上における第１の吸収体端部と、長手交差方向上における第２の吸収体端部を有する。
【００１３】
本発明に係るペット用吸収性シートのさらなる形態によれば、第１の配色領域は、第１の吸収体端部に形成されている。
【００１４】
本発明に係るペット用吸収性シートのさらなる形態によれば、第１の配色領域は、第２の吸収体端部に形成されている。
【００１５】
本発明に係るペット用吸収性シートのさらなる形態によれば、第１の配色領域は、第１の吸収体端部および第２の吸収体端部に形成されている。
【００１６】
本発明に係るペット用吸収性シートのさらなる形態によれば、表面シートは、エアスルー不織布により形成されている。
【００１７】
本発明に係るペット用吸収性シートのさらなる形態によれば、表面シートは、畝部と、隣り合う畝部同士の間に形成された溝部と、溝部が連続する方向に沿って間隔を空けて設けられた開口部と有する。
【００１８】
本発明に係るペット用吸収性シートのさらなる形態によれば、第１の被覆シートは、ティッシュペーパーにより構成される。
【００１９】
本発明に係るペット用吸収性シートのさらなる形態によれば、第２の被覆シートは、ティッシュペーパーにより構成される。
【００２０】
本発明に係るペット用吸収性シートのさらなる形態によれば、表面シートと吸収体との間に中間シートが配置される。
中間シートは、中間シートにおける排泄面側に形成された中間シート表面と、中間シートにおける載置面側に形成された中間シート裏面とを有する。
【００２１】
本発明に係るペット用吸収性シートのさらなる形態によれば、中間シートは、表面シートよりも繊維密度が高く形成されている。
【００２２】
本発明に係るペット用吸収性シートのさらなる形態によれば、中間シートは、２つのスパンボンド不織布層の間にメルトブローン不織布層を有する複合不織布からなる。
【００２３】
本発明に係るペット用吸収性シートのさらなる形態によれば、中間シート表面の面積は、コア層表面の面積よりも狭く形成され、第１の被覆シート表面の面積は、中間シート表面の面積よりも狭く形成され、第１の配色領域は、第２の被覆シートにより形成され、第２の配色領域は、第１の被覆シートと、第２の被覆シートと、中間シートにより形成され、第３の配色領域は、中間シートと第１の被覆シートにより形成されている。
【発明の効果】
【００２４】
本発明によれば、ペット排泄物の隠蔽効果が高いとともに、ペットシートの交換時期を認識し得るペット用吸収性シートを提供することができる。
【図面の簡単な説明】
【００２５】
【図１】本発明の基本構成に係るペット用吸収性シートの斜視図である。
【図２】本発明の第１の基本構成に係るペット用吸収性シートの平面図である。
【図３】本発明の第２の基本構成に係るペット用吸収性シートの平面図である。
【図４】本発明の第３の基本構成に係るペット用吸収性シートの平面図である。
【図５】本発明の第１の実施パターンに係る、第１の実施態様におけるペット用吸収性シートの断面図である。
【図６】本発明の第１の実施パターンに係る、第１の実施形態における配色領域の説明図である。
【図７】本発明に係る中間シートの説明図である。
【図８】本発明の第２の実施パターンに係るペット用吸収性シートの断面図である。
【図９】本発明の第２の実施パターンに係る、第２の実施形態におけるペット用吸収性シートの断面図である。
【図１０】本発明の第２の実施パターンに係る、第３の実施形態におけるペット用吸収性シートの断面図である。
【図１１】本発明の第３の実施パターンに係るペット用吸収性シートの断面図である。
【図１２】本発明の第３の実施パターンに係る、第４の実施形態におけるペット用吸収性シートの断面図である。
【図１３】本発明の第３の実施パターンに係る、第５の実施形態におけるペット用吸収性シートの断面図である。
【図１４】本発明の第３の実施パターンに係る、第６の実施形態におけるペット用吸収性シートの断面図である。
【図１５】本発明の第４の実施パターンに係るペット用吸収性シートの断面図である。
【図１６】本発明の第４の実施パターンに係る、第７の実施形態におけるペット用吸収性シートの断面図である。
【図１７】本発明の第４の実施パターンに係る、第８の実施形態におけるペット用吸収性シートの断面図である。
【図１８】本発明の第４の実施パターンに係る、第９の実施形態におけるペット用吸収性シートの断面図である。
【図１９】本発明の第５の実施パターンに係る、第１０の実施形態におけるペット用吸収性シートの断面図である。
【発明を実施するための最良の形態】
【００２６】
（基本構成）
以下に、本発明に係るペット用吸収性シートの基本構成を図１〜図４により説明する。本実施の形態における「ペット」は、脊椎動物（哺乳類、爬虫類、鳥類、両性類）や無脊椎動物を広く包含するが、典型的には、猫、犬、ウサギ、ハムスターなどといった愛玩動物がこれに該当する。
【００２７】
このペット用吸収性シート１００は、所定の厚みを有する平板状のシートであり、平坦状に広げられて、裏面シート１６０が載置箇所に載置された状態で、ペットの排泄物を受ける状態、すなわちペット使用モードを有する。
本実施の形態に係るペット用吸収性シートは、矩形（長方形ないし正方形）のシートとして構成されるのが好ましいが、円形、楕円形、多角形としても構成し得る。ここでいう「ペットの排泄物」は、ペットの屎尿のみならず、唾液や経血等の体液も広く包含する趣旨である。この使用モードでは、表面シート１１０は、ペットに非接触の状態でペットの排泄物を受ける平坦状の排泄受け面（以下においては、主吸収領域とも称呼される）と、当該ペットの歩行が可能なペット歩行面とを兼ねた面構造をなす。
この場合の「載置箇所」に関し、ペット用吸収性シート１００を床面等に直接的に敷設する形態や、ペット用吸収性シート１００を保持ホルダに取り付けた状態で当該保持ホルダごと床面等に設置する形態などが包含される。
【００２８】
本発明の基本構成にかかるペット用吸収性シート１００の全体構成が、図１に斜視図として示される。
ペット用吸収性シート１００は、使用モードにおいて、ペットが排泄を行う側の表面である排泄面１００Ｚ１と、載置箇所に接触する表面を載置面１００Ｚ２とを有する。この載置面１００Ｚ２は、排泄面１００Ｚ１と対向する箇所となる。
この排泄面１０１が、本発明に係る「ペットが排泄を行う側の表面である排泄面」の一例である。
この排泄面１００Ｚ２が、本発明に係る「該排泄面と対向する表面である載置面」の一例である。
【００２９】
ペット用吸収性シート１００は、外縁を形成する本体外縁部１００Ａを有する。この外縁１００が、本発明に係る「前記ペット用吸収性シートの外縁を形成する本体外縁部」の一例である。
また、ペット用吸収性シート１００は、ペット用吸収性シート１００の内側から本体外縁部１００Ａに向かう方向である外側方向Ｄ１を有する。この外側方向Ｄ１が、本発明に係る「前記ペット用吸収性シートの内側から前記本体外縁部に向かう方向である外側方向」の一例である。
また、ペット用吸収性シート１００の本体外縁部１００Ａから内側に向かう方向である内側方向Ｄ２を有する。この内側方向Ｄ２が、本発明に係る「前記ペット用吸収性シートの前記本体外縁部から内側に向かう方向である内側方向」の一例である。
【００３０】
また、吸収体１４０を有する。この吸収体が、本発明に係る「吸収体」の一例である。
また、吸収体１４０の外縁を形成する吸収体外縁部１４０Ａを有する。この吸収体外縁部１４０Ａが、本発明に係る「該吸収体の外縁を形成する吸収体外縁部」の一例である。
また、吸収体外縁部１４０Ａを含む領域である吸収体外縁領域１４０Ｂを有する。この吸収体外縁領域１４０Ｂが、本発明に係る「吸収体外縁部を含む領域である吸収体外縁領域」の一例である。
また、吸収体外縁領域１４０Ｂよりも内側方向Ｄ２に形成された吸収体中央領域１４０Ｃを有する。この吸収体中央領域１４０Ｃが、本発明に係る「該吸収体外縁領域よりも前記内側方向に形成された吸収体中央領域」の一例である。
【００３１】
（第１の基本構成）
次に、図２に基づき第1の基本構成を説明する。なお、以下、本発明に関し種々の基本構成、実施パターン、実施形態を説明するが、説明の便宜上、ペット用吸収性シートとして全て長方形のものとして説明する。一方、本発明に係るペット用吸収性シートが長方形に限らないのは上述の通りである。
【００３２】
ペット用吸収性シート１００は、排泄面１００Ｚ１側から視認可能な配色領域１３０を有する。この配色領域１３０が、本発明に係る「前記排泄面側から視認可能な配色領域」の一例である。
この配色領域１３０は、第１の配色領域１３０Ａと、第２の配色領域１３０Ｂと、第３の配色領域１３０Ｃとを有する。これが、本発明に係る「該配色領域は、第１の配色領域と、第２の配色領域と、第３の配色領域とを有し」の一例である。
この第１の配色領域１３０Ａと、第２の配色領域１３０Ｂと、第３の配色領域１３０Ｃは配色パターンを形成する。これが、本発明に係る「前記第１の配色領域と、前記第２の配色領域と、前記第３の配色領域により配色パターンを形成する」の一例である。
なお、本発明において「配色パターン」とは、異なる配色を有する領域が形成されていることを示す。ここで、「配色」とは、単に色彩のみを表すものではない。本発明に係る「配色」は、明度、輝度、濃淡などを示すものであり、使用者にとって異なる配色である
と認識させればそれで足りるものである。
【００３３】
第１の配色領域１３０Ａは、ペットの排泄物を視認しやすくするための排泄物視認領域とされている。これが、本発明に係る「前記第１の配色領域が、前記ペットの排泄物を視認しやすくするための排泄物視認領域とされている」の一例である。
具体的には、前記第１の配色領域におけるＬ＊ａ＊ｂ表色系のＬ＊値が８０以上である。
【００３４】
なお、Ｌ＊ａ＊ｂ表色系のＬ＊値が８０以上であるとは、いわゆる「白色」であることを示す。ここで、白色とは染料および顔料が未添加であることや、白色の染料や白色の顔料を添加していることを現す。
第１の配色領域が白色であると、使用者は排泄物の色をそのまま目視し、ペット用シート１００に排泄がされたことを認識することができる。
【００３５】
また、第３の配色領域１３０Ｃが、ペットの排泄物を視認しにくくするための排泄物隠蔽領域とされている。これが、本発明に係る「前記第３の配色領域が、前記ペットの排泄物を視認しにくくするための排泄物隠蔽領域とされている」の一例である。
具体的には、第３の配色領域１３０ＣにおけるＬ＊a＊ｂ＊表色系のＬ＊値が、５０以下である。
一方、第３の配色領域１３０ＣにおけるＬ＊a＊ｂ＊表色系のＬ＊値が０より大きく１００より小さくかつｂ＊値が−０．４ａ以上であることもできる。
【００３６】
なお、Ｌ＊a＊ｂ＊表色系のＬ＊値が、５０以下であるとは、いわゆる「黒色」であることを示す。黒色系は、液状の排泄物による色彩（配色）を吸収するため、排泄物を目立たなくする。
なお、Ｌ＊a＊ｂ＊表色系のＬ＊値が０より大きく１００より小さくかつｂ＊値が−０．４ａ以上であるとは、いわゆる「黄色系、橙系、赤系」を示す。黄色系、橙系、赤系は、液状の排泄物による配色パターンと同化するため、排泄物を目立たなくする。
【００３７】
また、第１の配色領域１３０Ａは、ペット用吸収性シート１００の外側方向Ｄ１に形成されている。また、第２の配色領域１３０Ｂは、第１の配色領域１３０Ａよりも、ペット用吸収性シート１００の内側方向Ｄ２に形成されている。また、第３の配色領域１３０Ｃは、第２の配色領域１３０Ｂより内側方向Ｄ２に形成されている。これが、本発明に係る「前記第１の配色領域が前記外側方向に形成されており、前記第２の配色領域が前記第１の配色領域よりも前記内側方向に形成されており、前記第３の配色領域が前記第２の配色領域よりも前記内側方向に形成されている」の一例である。
【００３８】
さらに具体的には、第１の配色領域１３０Ａは、吸収体外縁領域１４０Ａに形成されている。これが、本発明に係る「前記第１の配色領域が前記吸収体外縁領域に形成されている」の一例である。
さらに、第３の配色領域１３０Ｃが、吸収体中央領域１４０Ｃに形成されている。これが、本発明に係る「前記第３の配色領域が前記吸収体中央領域に形成されている」の一例である。
【００３９】
通常、ペットの多くは、ペット用吸収性シートの中央領域にて排泄する。もしくは、使用者は、ペットに対して、ペット用吸収性シート１００の中央領域にて排泄をさせようとする。
本発明に係るペット用吸収性シート１００によれば、吸収体中央領域１４０Ｃにおける排泄物は、排泄物隠蔽領域である第３の配色領域１３０Ｃにより視認しにくくされる。よって、使用者は、大きな不快感を伴うことなく、排泄されたペット用吸収性シート１００の使用を継続できる。従って、使用者は、１枚のペット用吸収性シート１００を、より長く使用することができる。
【００４０】
一方、使用者は、ペット用吸収性シート１００の外縁部１００Ａ付近に排泄物が付着することを嫌う傾向にある。つまり、外縁部１００Ａは、床などのペット用吸収性シート１００の載置場所に近いためである。
また、ペットがペット用吸収性シート１００に対して複数回の排泄を行った場合、吸収体１４０に多くの排泄物が吸収される。この際、排泄物は、吸収体中央領域１４０Ｃのみならず、吸収体外縁領域１４０Ｂまで達する。
本発明に係るペット用吸収性シート１００によれば、吸収体外縁領域１４０Ｂにおける排泄物は、排泄物視認領域である第１の配色領域１３０Ａにより視認されやすくなる。よって、使用者は、ペット用吸収性シート１００の交換時期を知ることができる。
【００４１】
なお、第２の配色領域１３０Ｂにおいては、達成しようとするペット用吸収性シート１００に基づき、排泄物隠蔽領域とすることも、排泄物視認領域とすることもできる。
以下、本発明に係るペット用吸収性シートとしては、便宜上、全ての第２の配色領域１３０Ｂとして、「排泄物隠蔽領域」とした構成につき説明する。
【００４２】
ペット用吸収性シート１００は、ペット用吸収性シート１００上の任意の点を通過する長手方向Ｙを有する。この長手方向Ｙが、本発明に係る「該ペット用吸収性シート上の任意の点を通過する長手方向」の一例である。
また、ペット用吸収性シート１００は、長手方向Ｙと交差する方向である長手交差方向Ｘを有する。この長手交差方向Ｘが、本発明に係る「該長手方向と交差する方向である長手交差方向」の一例である。
吸収体１４０は、長手方向Ｙ上における第１の吸収体端部１４０Ｙと、長手交差方向Ｘ上における第２の吸収体端部１４０Ｘとを有する。これが、「前記吸収体は、前記長手方向上における第１の吸収体端部と、前記長手交差方向上における第２の吸収体端部を有する」の一例である。
ペット用吸収性シート１００が長方形、正方形、台形、平行四辺形などの四角形であれば、第１の吸収体端部１４０Ｙと、第２の吸収体端部１４０Ｘは、それぞれ一対にて形成される。
【００４３】
図２に示された第１の基本構成に係るペット用シート１００においては、第１の配色領域１３０Ａは、第１の吸収体端部１４０Ｙにおける吸収体外縁領域１４０Ｂに形成されている。これが、本発明に係る「前記第１の配色領域は、前記第１の吸収体端部に形成されている」の一例である。
【００４４】
（第２の基本構成）
本発明に係る第２の基本構成を、図３に基づき説明する。
本第２の基本構成に係るペット用吸収性シート１００における第１の配色領域１４０Ａは、第２の吸収体端部１４０Ｘにおける吸収体外縁領域１４０Ｂに形成されている。これが、本発明に係る「前記第１の配色領域は、前記第２の吸収体端部に形成されている」の一例である。
【００４５】
（第３の基本構成）
本発明に係る第３の基本構成を、図４に基づき説明する。
本第３の基本構成に係るペット用吸収性シート１００における第１の配色領域１４０Ａは、第１の吸収体端部１４０Ｙにおける吸収体外縁領域１４０Ｂと、第２の吸収体端部１４０Ｘにおける吸収体外縁領域１４０Ｂとに形成されている。これが、本発明に係る「前記第１の配色領域は、前記第１の吸収体端部および第２の吸収体端部に形成されている」の一例である。
【００４６】
（第１の実施パターン）
本発明に係る第１の実施パターンを説明する。本第１の実施パターンは、ペット用吸収シートを構成する単一の部品に配色を施すものである。そして、この配色を施された部品と、他の部品とを重ね合わせることによって、配色領域１３０である、第１の配色領域１３０Ａと、第２の配色領域１３０Ｂと、第３の配色領域Ｃとを形成するものである。
【００４７】
（第１の実施態様）
以下、第１の実施パターンに係る第１の実施態様を、図５に基づき説明する。図５は、第１の実施形態に係るペット用吸収性シートの断面図であり、図１で説明したペット用吸収性シート１００におけるＡ−Ａ線断面図に相当する部分の断面図である。
なお上述した図１〜図５と同一の部品については、同一の名称および符号を使用し、その説明を省略する。
【００４８】
第１の実施態様に係るペット用吸収性シート１０１は、排泄面１００Ｚ１側に配置される透液性の表面シート１１０を有する。この表面シート１１０が、本発明に係る「前記排泄面側に配置される透液性の表面シート」の一例である。
また、ペット用吸収性シート１０１は、載置面１００Ｚ２側に配置される不透液性の裏面シート１６０を有する。この裏面シート１６０が、本発明に係る「前記載置面側に配置される不透液性の裏面シート」の一例である。
【００４９】
また、ペット用吸収性シート１０１は、吸収体１４０に設けられた、コア層１４１と、コア層１４１における排泄面１００Ｚ１側に形成されたコア層表面１４１Ａと、コア層１４１における載置面１００Ｚ２側に形成されたコア層裏面１４１Ｂと、コア層表面１４１Ａとコア層裏面１４１Ｂの間に形成されたコア層側面１４１Ｃとを有する。
これが、本発明に係る「前記吸収体に設けられた、コア層と、該コア層における前記排泄面側に形成されたコア層表面と、該コア層における前記載置面側に形成されたコア層裏面と、該コア層表面とコア層裏面の間に形成されたコア層側面」の一例である。
【００５０】
また、ペット用吸収性シート１０１は、コア層を被覆する被覆シート１４３を有する。
この被覆シート１４３は、コア層表面１４１Ａの少なくとも一部を覆う第１の被覆シート１４３Ａと、第１の被覆シート１４３Ａにおける排泄面側１００Ｚ１に形成された第１の被覆シート表面１４３ＡＡと、第１の被覆シート１４３Ａにおける載置面１００Ｚ２側に形成された第１の被覆シート裏面１４３ＡＢとを有する。
これが、本発明に係る「前記コア層表面の少なくとも一部を覆う第１の被覆シートと、該第１の被覆シートにおける前記排泄面側に形成された第１の被覆シート表面と、該第１の被覆シートにおける前記載置面側に形成された第１の被覆シート裏面」の一例である。
また、被覆シート１４３は、コア層裏面１４１Ｂの少なくとも一部を覆う第２の被覆シート１４３Ｂを有する。この第２の被覆シート１４３Ｂが、本発明に係る「前記コア層裏面の少なくとも一部を覆う第２の被覆シート」の一例である。
【００５１】
また、ペット用吸収性シート１０１は、表面シート１１０と吸収体１４０との間に配置された中間シート１２０と、中間シート１２０における排泄面１００Ｚ１側に形成された中間シート表面１２０Ａと、中間シート１２０における載置面１００Ｚ２側に形成された中間シート裏面１２０Ｂとを有する。
これが、本発明に係る「前記表面シートと前記吸収体との間に配置された中間シートと、該中間シートにおける前記排泄面側に形成された中間シート表面と、該中間シートにおける前記載置面側に形成された中間シート裏面」の一例である。
【００５２】
表面シート１１０および裏面シート１６０は、吸収体１４０よりも一回り大きい形状となるように形成される。そして、表面シート１１０と裏面シート１６０との間に中間シート１２０と、吸収体１４０を配置しつつ、当該表面シート１１０および裏面シート１６０のそれぞれの周縁を端部側接合部１５４にて互いに接合する。
【００５３】
中間シート表面１２０Ａの面積は、コア層表面１４１Ａの面積よりも狭く形成されている。これが、本発明に係る「前記中間シート表面の面積は、前記コア層表面の面積よりも狭く形成され」の一例である。
【００５４】
第１の被覆シート１４３Ａは、ペット用吸収性シート１０１における他の領域とは異なった配色とされた第１の配色部２０１が形成されている。これが、本発明に係る「前記第１の被覆シートは、前記ペット用吸収性シートにおける他の領域とは異なった配色とされた第１の配色部が形成され」の一例である。
第１の被覆シート表面１４３ＡＡの面積は、中間シート表面１２０Ａの面積よりも狭く形成されている。これが、本発明に係る「前記第１の被覆シート表面の面積は、前記中間シート表面の面積よりも狭く形成され」の一例である。
【００５５】
第２の被覆シート１４３Ｂは、コア層裏面１４１Ｂからコア層側面１４１Ｃを経由してコア層表面１４１Ａの一部に亘り形成されている。これが、本発明に係る「前記第２の被覆シートは、前記コア層裏面から前記コア層側面を経由して前記コア層表面の一部に亘り形成され」の一例である。
【００５６】
次に、図６に基づき、第１の実施態様に係るペット用吸収性シート１０１の配色領域１３０につき説明する。
なお、第１の実施形態においては、第１の被覆シート１４３Ａのみが配色部２０１を有する。その他の部品の内、特に、表面シート１１０と、中間シート１２０と、第２の被覆シート１４３Ｂには配色が施されておらず、白色を呈している。
【００５７】
第１の配色領域１３０Ａは、第２の被覆シート１４３Ｂにより形成される。これが、本発明に係る「前記第１の配色領域は、前記第２の被覆シートにより形成され」の一例である。
具体的には、コア層表面１４１Ａ側に配置された第２の被覆シート１４３Ｂの表面１４３ＢＡの内、吸収体側端部１４０Ｙから第１の被覆シート１４３Ａの端部に至る領域までが第１の配色領域１３０Ａとされる。
【００５８】
第２の配色領域１３０Ｂは、第１の被覆シート１４３Ａと、第２の被覆シート１４３Ｂと、中間シート１２０により形成される。これが、本発明に係る「前記第２の配色領域は、前記第１の被覆シートと、前記第２の被覆シートと、前記中間シートにより形成され」の一例である。
すなわち、ペット用シート１０１に排泄が行われた場合、第２の被覆シート１４３Ｂに保持された排泄物は、その下層側に配置された第１の被覆シートにより隠蔽される。
【００５９】
第３の配色領域１３０Ｃは、中間シート１２０と第１の被覆シート１４３Ａにより形成されている。これが、本発明に係る、「前記第３の配色領域は、前記中間シートと前記第１の被覆シートにより形成されている」の一例である。
【００６０】
なお、この第１の実施態様においては、第２の配色領域１３０Ｂでは、配色を有する第１の被覆シート表面１４３ＡＡ側に、白色の中間シート１２０と、白色の第２の被覆シート１４３Ｂとが重ねられている。
一方、第３の配色領域１３０Ｃでは、着色された第１の被覆シート表面側１４３ＡＡ側に、白色の中間シート１２０のみが重ねられている。
よって、第２の配色領域１３０Ｂの方が、第３の領域１３０Ｃよりも明るくなる配色パターンとなる。
【００６１】
なお、この第１の実施形態においては、第１の被覆シート表面１４３ＡＡの面積は、中間シート表面１２０Ａの面積よりも狭く形成されている。これは、第１の被覆シート１４３Ａにおける長手方向Ｙ上の両端部間の長さを、中間シート１２０における長手方向Ｙ上の両端部間の長さよりも短くすることにより実現されている。
従って、この第１の実施形態に係るペット用吸収性シート１０１を平面視した場合には、上述した図２に係る第１の基本構成と同様の配色領域１３０の配置となる。
【００６２】
一方、例えば、第１の被覆シート１４３Ａにおける長手交差方向Ｘ上の両端部間の長さを、中間シート１２０における長手交差方向Ｘ上の両端部間の長さよりも短くすることもできる。
このような構成のペット用吸収性シート１０１を平面視した場合には、上述した図３に係る第２の基本構成と同様の配色領域１３０の配置となる。
【００６３】
一方、例えば、第１の被覆シート１４３Ａにおける長手方向Ｙ上の両端部間の長さを、中間シート１２０における長手方向Ｙ上の両端部間の長さよりも短くし、さらに、第１の被覆シート１４３Ａにおける長手交差方向Ｘ上の両端部間の長さを、中間シート１２０における長手方向Ｘ上の両端部間の長さよりも短くすることもできる。
このような構成のペット用吸収性シート１０１を平面視した場合には、上述した図４に係る第３の基本構成と同様の配色領域１３０の配置となる。
【００６４】
次に、ペット用吸収性シート１０１の各構成につき説明する。
表面シート１１０は、熱可塑性繊維製の不織布にて構成可能であり、例えば、熱可塑性長繊維からなるスパンボンド不織布、熱可塑性短繊維からなるエアスルー不織布、ポイントボンド不織布、または開孔フィルムによって構成することができる。
特に本発明に係る表面シート１１０は、エアスルー不織布が使用される。これが、本発明に係る「前記表面シートは、エアスルー不織布により形成されている」の一例である。
この表面シート１１０は、畝部１１１と、隣り合う畝部１１１同士の間に形成された溝部１１２と、この溝部１１２の連続する方向に沿って間隔を空けて設けられた開口部１１３とを有する。
なお、表面シートの畝部１１１と溝部１１２とは、排泄面１００Ｚ１の表層を構成する。すなわち、使用者が視認する際に、最も使用者に近い部分となる。
よって、使用者がペット用吸収性シート１００を視認した際には、まず表面シート１１０の溝部１１１と畝部１１２が強く使用者に認識される。
よって、特に液状の排泄物の輪郭を認識し難くすることができる。
【００６５】
中間シート１２０は、熱可塑性繊維製の不織布にて構成可能である。例えばエアスルー不織布、ポイントボンド不織布、スパンボンド不織布などによって構成することができる。
図７に示すように、中間シート１２０は、第１スパンボンド不織布層１２１と第２のスパンボンド不織布層１２３との間にメルトブローン不織布層１２３を有する複合不織布が使用されることが好ましい、この複合不織布は、ＳＭＳ不織布と称呼されることがある。中間シート１２０にＳＭＳ不織布を使用する場合、目付は８〜２５ｇ／ｍ２であることが好ましい。
この中間シート１２０が、本発明に係る「前記中間シートは、２つのスパンボンド不織布層の間にメルトブローン不織布層を有する複合不織布からなる」の一例である。
【００６６】
なお、中間シート１２０を構成するＳＭＳ不織布は、表面シート１１０よりも繊維密度が高く形成されている。これが、本発明に係る「前記中間シートは、前記表面シートよりも繊維密度が高く形成されている」の一例である。
このため、中間シート１２０は、毛細管現象による液の引き込み性に優れる。よって、中間シート１２０は、液状の排泄物をすばやく表面シート１１０から引き込むことができる。
この結果、表面シート１１０に残る液状の排泄物の量を減少させることができる。
従って、表面シート１１０の排泄面１０１から液状の排泄物を視認し難くできる。
【００６７】
ペット用吸収性シート１００における吸収体１４０は、コア層１４１と、このコア層１４１の表面側に配置される高吸水性ポリマー層１４２とを有する。
【００６８】
そして、コア層１４１と高吸水性ポリマー層１４２とからなる積層体は、被覆シート１４３で被覆される。
この第１の実施態様において、被覆シート１４３は、コア層表面１４１Ａの表面側を被覆する第１の被覆シート１４３Ａを有する。
さらに、被覆シート１４３は、コア層裏面１４１Ｂからコア層側面１４１Ｃを経由し、コア層表面１４１Ａの一部を被覆する第２の被覆シート１４３Ｂを有する。
なお、第２の被覆シート１４３Ｂにおけるコア層表面１４１Ａの一部を被覆する部分は、コア層表面１４１Ａに配置された第１の被覆シート１４３Ａの上側に配置されている。
【００６９】
コア層１４１は、粒子状や繊維状の高吸収性ポリマーとフラッフパルプとの混合物や、粒子状や繊維状の高吸収性ポリマーとフラッフパルプと熱可塑性剛性樹脂繊維との混合物により形成される。
【００７０】
高吸水性ポリマー層１４２は、コア層１４１の表面側に高吸水性ポリマーを分散させることにより形成される。
【００７１】
被覆シート１４３である第１の被覆シート１４３Ａと第２の被覆シート１４３Ｂは、ティッシュペーパーにより構成され、高吸水性ポリマー層１４２およびコア層１４１の型崩れを防止する。
【００７２】
裏面シート１６０は、液不透過性を確実に担保するべく、特に樹脂フィルムシートによって構成されるのが好ましい。この裏面シート１６０は、例えば、ポリエチレン、ポリプロピレン、ポリエチレンテレフタレートなどのフィルムを用いて構成可能である。また裏面シートに可撓性を持たせる点を考慮した場合には、不織布に撥水剤を塗布したものを用いることもできる。
【００７３】
表面シート１１０と中間シート１２０、中間シート１２０と第１の被覆シート１４３Ａ、第１の被覆シート１４３Ａと高吸水性ポリマー層１４２、表面シートと１１０と裏面シート１６０のそれぞれは、接合部１５０により接合される。
この接合部１５０は、表面シート１１０と中間シート１２０とを接合する表層側接合部１５１、中間シート１２０と第１の被覆シート１４３Ａとを接合する中間側接合部１５２、第１の被覆シート１４３Ａと高吸水性ポリマー層１４２とを接合する吸収体側接合部１５３、表面シートと１１０と裏面シート１６０とを接合する端部側接合部１５４とにより構成される。
【００７４】
表層側接合部１５１と、中間側接合部１５２と、端部側接合部１５４には、ホットメルト接着剤により接合される。ホットメルト接着剤は、ＨＭＡ（Ｈｏｔ  Ｍｅｌｔｉｎｇ  Ａｄｈｅｓｉｖｅ）とも称される。
【００７５】
表層側接合部１５１と中間側接合部１５２と端部側接合部１５４には、ホットメルト接着剤をスパイラル状のパターンや、直線状のパターンで塗布することができる。
一方、表層側接合部１５１と中間側接合部１５２とにおいては、カーテンスプレー塗工が施されることが好ましい。このカーテンスプレー塗工は、ホットメルト接着剤による細い繊維を吐出し、均一に塗布するものである。
このカーテンスプレー塗工においては、特に０．１〜１．０ｇ／ｍ２という条件が好ましい。この条件であると、表面シート１１０、中間シート１２０、吸収体１４０が排泄物を吸収し、膨張した際の形状の変化により、中間シート１２０と吸収体１４０とが剥離する。
【００７６】
なお、端部側接合部１５４においては、表面シート１１０と裏面シート１６０とを強固に接着する必要があるため、ビード塗工が好ましい。
このビード塗工は、製造工程において、ＭＤ方向に沿って、非接触にてホットメルト接着剤を線状に塗布するものである。よって、ホットメルト接着剤を線状に細く塗布するできるため、少量のホットメルト接着剤を高い目付にて設けることができる。
【００７７】
吸収体側接合部１５３において、第１の被覆シート１４３Ａと高吸水性ポリマー層１４２とは、水スプレーにより接着される。
この水スプレーは、製造工程において、吸収体の型崩れを防止するために、高吸水性ポリマー層１４２に水を噴霧し、第１の被覆シート１４３Ａを貼り付けるものである。なお、このスプレーされた水はその後、蒸発する。よって、実際に使用者がペット用吸収性シート１００を使用する際には、水スプレーの噴霧箇所は乾燥した状態となる。
【００７８】
（第２の実施パターン）
次に、第２の実施パターンを、図８に基づき説明する。さらに、この第２の実施パターンに係る第２の実施態様を、図９に基づき説明する。さらに、この第２の実施パターンに係る第３の実施態様を、図１０に基づき説明する。図８と、図９と、図１０はペット用吸収性シートの断面図であり、図１で説明したペット用吸収性シート１００におけるＡ−Ａ線断面図に相当する部分の断面図である。
なお上述した基本構成に係る図１〜図７と同一の部品については、同一の名称および符号を使用し、その説明を省略する。
【００７９】
第２の実施パターンに係るペット用吸収性シートは、ペット用吸収性シートにおける他の領域とは異なる配色とされた第２の配色部２０２と、ペット用吸収性シートにおける他の領域および第２の配色部２０２とは異なる配色とされた第３の配色部２０３を備える第１の配色シート３０１を有する。
【００８０】
さらに、第１の配色シート３０１は、第１の配色シート３０１における排泄面１００Ｚ１側に形成された第１の配色シート表面３０１Ａと、第１の配色シート３０１における載置面１００Ｚ２側に形成された第１の配色シート裏面３０１Ｂとを有する。
【００８１】
さらに、第１の配色シート表面３０１Ａは、コア層表面１４１Ａの面積よりも狭く形成されている。
【００８２】
さらに、第１の配色領域１３０Ａは、コア層表面１４１Ａにおける第１の配色シート３０１が配置されていない領域により形成される。
さらに、第２の配色領域１３０Ｂは、第２の配色部２０２により形成される。
さらに、第３の配色領域１３０Ｃは、第３の配色部２０３により形成される。
【００８３】
なお、この第２の実施パターンにおいては、第１の配色シート表面３０１Ａの面積は、コア層表面１４１Ａの面積よりも狭く形成されている。これは、第１の配色シート３０１における長手方向Ｙ上の両端部間の長さを、コア層１４１における長手方向Ｙ上の両端部間の長さよりも短くすることにより実現されている。
従って、この第２の実施パターンに係るペット用吸収性シートを平面視した場合には、上述した図２に係る第１の基本構成と同様の配色領域１３０の配置となる。
【００８４】
一方、例えば、第１の配色シート３０１における長手交差方向Ｘ上の両端部間の長さを、コア層１４１における長手交差方向Ｘ上の両端部間の長さよりも短くすることもできる。
このような構成のペット用吸収性シートを平面視した場合には、上述した図３に係る第２の基本構成と同様の配色領域１３０の配置となる。
【００８５】
一方、例えば、第１の配色シート３０１における長手方向Ｙ上の両端部間の長さを、コア層１４１における長手方向Ｙ上の両端部間の長さよりも短くし、さらに、第１の配色シートにおける長手交差方向Ｘ上の両端部間の長さを、コア層１４１における長手方向Ｘ上の両端部間の長さよりも短くすることもできる。
このような構成のペット用吸収性シート１０１を平面視した場合には、上述した図４に係る第３の基本構成と同様の配色領域１３０の配置となる。
【００８６】
（第２の実施態様）
本発明に係る第２の実施態様を、図９に基づき説明する。
ペット用吸収性シート１０２において、第１の配色シート３０１が、第１の被覆シート１４３Ａである。
【００８７】
（第３の実施態様）
本発明に係る第３の実施態様を、図１０に基づき説明する。
ペット用吸収性シート１０３において、第１の配色シート３０１が、中間シート１２０である。
【００８８】
（第３の実施パターン）
次に、第３の実施パターンを、図１１に基づき説明する。さらに、この第３の実施パターンに係る第４の実施態様を、図１２に基づき説明する。さらに、この第３の実施パターンに係る第５の実施態様を、図１３に基づき説明する。さらに、この第３の実施パターンに係る第６の実施態様を、図１４に基づき説明する。
図１１と、図１２と、図１３と、図１４はそれぞれペット用吸収性シートの断面図であり、図１で説明したペット用吸収性シート１００におけるＡ−Ａ線断面図に相当する部分の断面図である。
なお上述した基本構成に係る図１〜図１０と同一の部品については、同一の名称および符号を使用し、その説明を省略する。
【００８９】
第３の実施パターンに係るペット用吸収性シートは、ペット用吸収性シートにおける他の領域とは異なる配色とされた第４の配色部２０４を有する第２の配色シート３０２を有する。
【００９０】
さらに、ペット用吸収性シートにおける他の領域および第４の配色部２０４とは異なる配色とされた第５の配色部２０５を有する第３の配色シート３０３を有する。
【００９１】
さらに、第２の配色シート３０２は、第２の配色シート３０２における排泄面１００Ｚ１側に形成された第２の配色シート表面３０２Ａと、第２の配色シート３０２における載置面１００Ｚ２側に形成された第２の配色シート裏面３０２Ｂとを有する。
【００９２】
さらに、第３の配色シート３０３は、第３の配色シート３０３における排泄面１００Ｚ１側に形成された第３の配色シート表面３０３Ａと、第３の配色シート３０３における載置面１００Ｚ２側に形成された第３の配色シート裏面３０３Ｂとを有する。
【００９３】
さらに、第２の配色シート表面３０２Ａは、コア層表面１４１Ａの面積よりも狭く形成されている。
さらに、第３の配色シート表面３０３Ａは、第２の配色シート表面３０２Ａの面積よりも狭く形成されている。
さらに、第３の配色シート３０３は、第２の配色シート表面３０２Ａよりも排泄面１００Ｚ１側に配置される。
【００９４】
さらに、第１の配色領域１３０Ａは、コア層表面１４１Ａにおける第２の配色シート３０２および第３の配色シート３０３が配置されていない領域により形成される。
さらに、第２の配色領域１３０Ｂは、第４の配色部２０４により形成される。
さらに、第３の配色領域１３０Ｃは、第５の配色部２０５により形成される。
【００９５】
なお、この第３の実施パターンにおいては、第２の配色シート表面３０２Ａの面積は、コア層表面１４１Ａの面積よりも狭く形成されている。これは、第１の配色シート３０１における長手方向Ｙ上の両端部間の長さを、コア層１４１における長手方向Ｙ上の両端部間の長さよりも短くすることにより実現されている。
また、第３の配色シート表面３０３Ａの面積は、第２の配色シート表面３０２Ａの面積よりも狭く形成されている。これは、第３の配色シート３０３Ａにおける長手方向Ｙ上の両端部間の長さを、第２の配色シート３０２における長手方向Ｙ上の両端部間の長さよりも短くすることにより実現されている。
従って、この第３の実施パターンに係るペット用吸収性シートを平面視した場合には、上述した図２に係る第１の基本構成と同様の配色領域１３０の配置となる。
【００９６】
一方、例えば、第２の配色シート３０２における長手交差方向Ｘ上の両端部間の長さを、コア層１４１における長手交差方向Ｘ上の両端部間の長さよりも短くすることもできる。
さらに、第３の配色シート３０３における長手交差方向Ｘ上の両端部間の長さを、第２の配色シート３０２における長手交差方向Ｘ上の両端部間の長さよりも短くすることもできる。
このような構成のペット用吸収性シートを平面視した場合には、上述した図３に係る第２の基本構成と同様の配色領域１３０の配置となる。
【００９７】
一方、例えば、第２の配色シート３０２における長手方向Ｙ上の両端部間の長さを、コア層１４１における長手方向Ｙ上の両端部間の長さよりも短くし、さらに、第２の配色シートにおける長手交差方向Ｘ上の両端部間の長さを、コア層１４１における長手方向Ｘ上の両端部間の長さよりも短くすることもできる。
さらに、第３の配色シート３０３における長手方向Ｙ上の両端部間の長さを、第２の配色シート３０２における長手方向Ｙ上の両端部間の長さよりも短くし、さらに、第３の配色シート３０３における長手交差方向Ｘ上の両端部間の長さを、第２の配色シート３０２における長手方向Ｘ上の両端部間の長さよりも短くすることもできる。
このような構成のペット用吸収性シート１０１を平面視した場合には、上述した図４に係る第３の基本構成と同様の配色領域１３０の配置となる。
【００９８】
（第４の実施態様）
本発明に係る第４の実施態様を、図１２に基づき説明する。
ペット用吸収性シート１０４において、第１の被覆シート１４３Ａが、一方の第１の被覆シート１４３Ａ１と、他方の第１の被覆シート１４３Ａ２により形成されている。
さらに、一方の第１の被覆シート１４３Ａ１が、第２の配色シート３０２とされている。
さらに、他方の第１の被覆シート１４３Ａ２が、第３の配色シート３０３とされている。
【００９９】
（第５の実施態様）
本発明に係る第５の実施態様を、図１３に基づき説明する。
ペット用吸収性シート１０５において、中間シート１２０が、一方の中間シート１２０１と、他方の中間シート１２０２により形成されている。
さらに、一方の中間シート１２０１が、第２の配色シート３０２とされている。
さらに、他方の中間シート１２０２が、第３の配色シート３０３とされている。
【０１００】
（第６の実施態様）
本発明に係る第６の実施態様を、図１４に基づき説明する。
ペット用吸収性シート１０６において、第１の被覆シート１４３Ａが、第２の配色シート３０２とされている。
さらに、中間シート１２０が、第３の配色シート３０３とされている。
【０１０１】
（第４の実施パターン）
次に、第４の実施パターンを、図１５に基づき説明する。さらに、この第４の実施パターンに係る第７の実施態様を、図１６に基づき説明する。さらに、この第４の実施パターンに係る第８の実施態様を、図１７に基づき説明する。さらに、この第４の実施パターンに係る第９の実施態様を、図１８に基づき説明する。図１５と、図１６と、図１７と、図１８のそれぞれはペット用吸収性シートの断面図であり、図１で説明したペット用吸収性シート１００におけるＡ−Ａ線断面図に相当する部分の断面図である。
なお上述した基本構成に係る図１〜図１４と同一の部品については、同一の名称および符号を使用し、その説明を省略する。
【０１０２】
第４の実施パターンに係るペット用吸収性シートは、
第４の配色シート３０４を有する。
さらに、第４の配色シート３０４は、第６の配色部２０６と、第６の配色部２０６とは異なる配色とされた第７の配色部２０７と、第６の配色部２０６および第７の配色部２０７とは異なる配色とされた第８の配色部２０８とを有する。
【０１０３】
さらに、第１の配色領域１３０Ａは、第６の配色部２０６により形成される。
さらに、第２の配色領域１３０Ｂは、第７の配色部２０７により形成される。
さらに、第３の配色領域１３０Ｃは、第８の配色部２０８により形成されている。
【０１０４】
なお、この第４の実施パターンにおいては、第４の配色シート３０４における長手方向Ｙ上の両端部間を含む長手交差方向Ｘの領域に、第６の配色部２０６を設けている。
従って、この第４の実施パターンに係るペット用吸収性シートを平面視した場合には、上述した図２に係る第１の基本構成と同様の配色領域１３０の配置となる。
【０１０５】
一方、例えば、第４の配色シート３０４における長手交差方向Ｘ上の両端部を含む長手方向Ｙの領域に、第６の配色部２０６を設けることもできる。
このような構成のペット用吸収性シートを平面視した場合には、上述した図３に係る第２の基本構成と同様の配色領域１３０の配置となる。
【０１０６】
一方、例えば、第４の配色シート３０４における長手方向Ｙ上の両端部間を含む長手交差方向Ｘの領域、および第４の配色シート３０４における長手交差方向Ｘ上の両端部を含む長手方向Ｙの領域に、第６の配色部２０６を設けることもできる。
このような構成のペット用吸収性シート１０１を平面視した場合には、上述した図４に係る第３の基本構成と同様の配色領域１３０の配置となる。
【０１０７】
さらに、第６の配色部２０６は、第４の配色シート３０４に対し配色を施さないこともできる。
【０１０８】
（第７の実施態様）
本発明に係る第７の実施態様を、図１６に基づき説明する。
ペット用吸収性シート１０７において、第４の配色シート３０４は、表面シート１１０とされている。
【０１０９】
（第８の実施態様）
本発明に係る第８の実施態様を、図１７に基づき説明する。
ペット用吸収性シート１０８において、第４の配色シート３０４は、中間シート１２０とされている。
【０１１０】
（第９の実施態様）
本発明に係る第９の実施態様を、図１８に基づき説明する。
ペット用吸収性シート１０９において、第４の配色シート３０４は、第１の被覆シート１４３Ａとされている。
【０１１１】
（第５の実施パターン）
本発明に係る第５の実施パターンを説明する。本第５の実施パターンは、吸収体１４０における吸収性コア１４１に配色を施すものである。
【０１１２】
（第１０の実施態様）
以下、第５の実施パターンに係る第１０の実施態様を、図１９に基づき説明する。図１９は、第１０の実施形態に係るペット用吸収性シートの断面図であり、図１で説明したペット用吸収性シート１００におけるＡ−Ａ線断面図に相当する部分の断面図である。
なお上述した図１〜図１８と同一の部品については、同一の名称および符号を使用し、その説明を省略する。
【０１１３】
ペット用吸収性シート１１００において、吸収性コア１４０は、第９の配色部２０９と、第９の配色部２０９とは異なる配色とされた第１０の配色部２１０と、第９の配色部２０９および第１０の配色部２１０とは異なる配色とされた第１１の配色部２１１とを有する。
【０１１４】
さらに、第１の配色領域１３０Ａは、第９の配色部２０９により形成される。
さらに、第２の配色領域１３０Ｂは、第１０の配色部２１０により形成される。
さらに、第３の配色領域１３０Ｃは、第１１の配色部２１１により形成されている。
【０１１５】
なお、この第１０の実施態様においては、吸収体１４０における長手方向Ｙ上の両端部間を含む長手交差方向Ｘの領域に、第９の配色部２０９を設けている。
従って、この第１０の実施態様に係るペット用吸収性シート１１００を平面視した場合には、上述した図２に係る第１の基本構成と同様の配色領域１３０の配置となる。
【０１１６】
一方、例えば、吸収体１４０における長手交差方向Ｘ上の両端部を含む長手方向Ｙの領域に、第９の配色部２０９を設けることもできる。
このような構成のペット用吸収性シート１１００を平面視した場合には、上述した図３に係る第２の基本構成と同様の配色領域１３０の配置となる。
【０１１７】
一方、例えば、吸収体１４０における長手方向Ｙ上の両端部間を含む長手交差方向Ｘの領域、および吸収体１４０における長手交差方向Ｘ上の両端部を含む長手方向Ｙの領域に、第９の配色部２０９を設けることもできる。
このような構成のペット用吸収性シート１１００を平面視した場合には、上述した図４に係る第３の基本構成と同様の配色領域１３０の配置となる。
【０１１８】
さらに、第９の配色部２０９は、吸収体１４０に対し配色を施さないこともできる。
【０１１９】
なお、上述した基本構成、第１の基本構成〜第３の基本構成、第１の実施パターン〜第５の実施パターン、第１の実施態様〜第１０の実施態様は一例である。
すなわち、他の構成を採用することや、上述した基本構成、第１の基本構成〜第３の基本構成、第１の実施パターン〜第５の実施パターン、第１の実施態様〜第１０の実施態様
を適宜組み合わせることができるのはもちろんである。
【０１２０】
（実施の形態ないし実施例本発明の各構成要素の対応について）
ペット用吸収性シート１００、１０１、１０２、１０３、１０４、１０５、１０６、１０７、１０８、１０９、１１０、１１００は、本発明に係る「ペット用吸収性シート」の一例である。排泄面１００Ｚ１は、本発明に係る「排泄面」の一例である。載置面１００Ｚ２は、本発明に係る「載置面」の一例である。本体外縁部１００Ａは、本発明に係る「本体外縁部」の一例である。外側方向Ｄ１は、本発明に係る「外側方向」の一例である。内側方向Ｄ２は、本発明に係る「内側方向」の一例である。吸収体１４０は、本発明に係る「吸収体」の一例である。吸収体外縁部１４０Ａは、本発明に係る「吸収体外縁部」の一例である。吸収体外縁領域１４０Ｂは、本発明に係る「吸収体外縁領域」の一例である。吸収体中央領域は、本発明に係る「吸収体中央領域」の一例である。配色領域１３０は、本発明に係る「配色領域」の一例である。第１の配色領域１３０Ａは、本発明に係る「第１の配色領域」の一例である。第２の配色領域１３０Ｂは、本発明に係る「第２の配色領域」の一例である。第３の配色領域１３０Ｃは、本発明に係る「第３の配色領域」の一例である。長手方向Ｙは、本発明に係る「長手方向」の一例である。長手交差方向Ｘは、本発明に係る「長手交差方向Ｘ」の一例である。第１の吸収体端部１４０Ｙは、本発明に係る「第１の吸収体端部」の一例である。第２の吸収体端部１４０Ｘは、本発明に係る「第２の吸収体端部」の一例である。表面シート１１０は、本発明に係る「表面シート」の一例である。裏面シート１６０は、本発明に係る「裏面シート」の一例である。コア層１４１は、本発明に係る「コア層」の一例である。コア層表面１４１Ａは、本発明に係る「コア層表面１４１Ａ」の一例である。コア層裏面１４１Ｂは、本発明に係る「コア層裏面」の一例である。コア層側面１４１Ｃは、本発明に係る「コア層側面」の一例である。第１の被覆シート１４３Ａは、本発明に係る「第１の被覆シート」の一例である。第１の被覆シート表面１４３ＡＡは、本発明に係る「第１の被覆シート表面」の一例である。第１の被覆シート裏面１４３ＡＢは、本発明に係る「第１の被覆シート裏面」の一例である。第２の被覆シート１４３Ｂは、本発明に係る「第２の被覆シート」の一例である。中間シートは１２０、本発明に係る「中間シート」の一例である。中間シート表面１２０Ａは、本発明に係る「中間シート表面」の一例である。中間シート裏面１２０Ｂは、本発明に係る「中間シート裏面」の一例である。複合不織布１２０は、本発明に係る「複合不織布」の一例である。第１の配色部２０１は、本発明に係る「第１の配色部」の一例である。第２の配色部２０２は、本発明に係る「第２の配色部」の一例である。第３の配色部２０３は、本発明に係る「第３の配色部」の一例である。第４の配色部２０４は、本発明に係る「第４の配色部」の一例である。第５の配色部２０５は、本発明に係る「第５の配色部」の一例である。第６の配色部２０６は、本発明に係る「第６の配色部」の一例である。第７の配色部２０７は、本発明に係る「第７の配色部」の一例である。第８の配色部２０８は、本発明に係る「第８の配色部」の一例である。第９の配色部２０９は、本発明に係る「第９の配色部」の一例である。第１０の配色部は、本発明に係る「第１０の配色部」の一例である。第１１の配色部は、本発明に係る「第１１の配色部」の一例である。第１の配色シート３０１は、本発明に係る「第１の配色シート」の一例である。第１の配色シート表面３０１Ａは、本発明に係る「第１の配色シート表面」の一例である。第１の配色シート裏面３０１Ｂは、本発明に係る「第１の配色シート」の一例である。第２の配色シート３０２は、本発明に係る「第２の配色シート」の一例である。第２の配色シート表面３０２Ａは、本発明に係る「第２の配色シート表面」の一例である。第２の配色シート裏面３０２Ｂは、本発明に係る「第２の配色シート」の一例である。第３の配色シート３０３は、本発明に係る「第３の配色シート」の一例である。第３の配色シート表面３０３Ａは、本発明に係る「第３の配色シート表面」の一例である。第３の配色シート裏面３０３Ｂは、本発明に係る「第３の配色シート裏面」の一例である。第４の配色シート３０４は、本発明に係る「第４の配色シート」の一例である。一方の第１の被覆シート１３４Ａ１は、本発明に係る「一方の第１の被覆シート」の一例である。と、他方の第１の被覆シート１３４Ａ２は、本発明に係る「他方の第１の被覆シート」の一例である。
【０１２１】
以上の本発明の特質に鑑み、以下の各種の構成態様が構築できる。
（態様１）
ペット用吸収性シートであって、
ペットが排泄を行う側の表面である排泄面と、
該排泄面と対向する表面である載置面と、
前記ペット用吸収性シートの外縁を形成する本体外縁部と、
前記ペット用吸収性シートの内側から前記本体外縁部に向かう方向である外側方向と、
前記ペット用吸収性シートの前記本体外縁部から内側に向かう方向である内側方向と、
吸収体と、
該吸収体の外縁を形成する吸収体外縁部と、
該吸収体外縁部を含む領域である吸収体外縁領域と、
該吸収体外縁領域よりも前記内側方向に形成された吸収体中央領域と、
前記排泄面側から視認可能な配色領域と、
を有し、
該配色領域は、第１の配色領域と、第２の配色領域と、第３の配色領域とを有し、
前記第１の配色領域と、前記第２の配色領域と、前記第３の配色領域により配色パターンを形成することを特徴とするペット用吸収性シート。
（態様２）
態様１に記載されたペット用吸収性シートにおいて、
前記第１の配色領域が、前記ペットの排泄物を視認しやすくするための排泄物視認領域とされていることを特徴とするペット用吸収性シート。
（態様３）
態様２に記載されたペット用吸収性シートにおいて、
前記第１の配色領域におけるＬ＊ａ＊ｂ表色系のＬ＊値が８０以上であることを特徴とするペット用吸収性シート。
（態様４）
態様１〜３のいずれか１項に記載されたペット用吸収性シートにおいて、
前記第３の配色領域が、前記ペットの排泄物を視認しにくくするための排泄物隠蔽領域とされていることを特徴とするペット用吸収性シート。
（態様５）
態様４に記載されたペット用吸収性シートにおいて、
前記第３の配色領域におけるＬ＊a＊ｂ＊表色系のＬ＊値が、５０以下であることを特徴とするペット用吸収性シート。
（態様６）
態様４に記載されたペット用吸収性シートにおいて、
前記第３の配色領域におけるＬ＊a＊ｂ＊表色系のＬ＊値が０より大きく１００より小さくかつｂ＊値が−０．４ａ以上であることを特徴とするペット用吸収性シート。
（態様７）
態様１〜６のいずれか１項に記載されたペット用吸収性シートにおいて、
前記第１の配色領域が前記外側方向に形成されており、
前記第２の配色領域が前記第１の配色領域よりも前記内側方向に形成されており、
前記第３の配色領域が前記第２の配色領域よりも前記内側方向に形成されていることを特徴とするペット用吸収性シート。
（態様８）
態様１〜７のいずれか１項に記載されたペット用吸収性シートにおいて、
前記第１の配色領域が前記吸収体外縁領域に形成されていることを特徴とするペット用吸収性シート。
（態様９）
態様１〜８のいずれか１項に記載されたペット用吸収性シートにおいて、
前記第３の配色領域が前記吸収体中央領域に形成されていることを特徴とするペット用吸収性シート。
（態様１０）
態様１〜９のいずれか１項に記載されたペット用吸収性シートにおいて、
前記ペット用吸収性シートは、
該ペット用吸収性シート上の任意の点を通過する長手方向と、
該長手方向と交差する方向である長手交差方向とを有し、
前記吸収体は、前記長手方向上における第１の吸収体端部と、前記長手交差方向上における第２の吸収体端部を有することを特徴とするペット用吸収性シート。
（態様１１）
態様１〜１０のいずれか１項に記載されたペット用吸収性シートにおいて、
前記第１の配色領域は、前記第１の吸収体端部に形成されていることを特徴とするペット用吸収性シート。
（態様１２）
態様１〜１０のいずれか１項に記載されたペット用吸収性シートにおいて、
前記第１の配色領域は、前記第２の吸収体端部に形成されていることを特徴とするペット用吸収性シート。
（態様１３）
態様１〜１０のいずれか１項に記載されたペット用吸収性シートにおいて、
前記第１の配色領域は、前記第１の吸収体端部および前記第２の吸収体端部に形成されていることを特徴とするペット用吸収性シート。
（態様１４）
態様１〜１３のいずれか１項に記載されたペット用吸収性シートであって、
前記排泄面側に配置される透液性の表面シートと、
前記載置面側に配置される不透液性の裏面シートと、
前記吸収体に設けられた、コア層と、該コア層における前記排泄面側に形成されたコア層表面と、該コア層における前記載置面側に形成されたコア層裏面と、該コア層表面とコア層裏面の間に形成されたコア層側面と、
前記コア層表面の少なくとも一部を覆う第１の被覆シートと、該第１の被覆シートにおける前記排泄面側に形成された第１の被覆シート表面と、該第１の被覆シートにおける前記載置面側に形成された第１の被覆シート裏面と、
前記コア層裏面の少なくとも一部を覆う第２の被覆シートと、
前記表面シートと前記吸収体との間に配置された中間シートと、該中間シートにおける前記排泄面側に形成された中間シート表面と、該中間シートにおける前記載置面側に形成された中間シート裏面と、
を有することを特徴とするペット用吸収性シート。
（態様１５）
態様１〜１４のいずれか１項に記載されたペット用吸収性シートにおいて、
前記中間シートは、前記表面シートよりも繊維密度が高く形成されていることを特徴とするペット用吸収性シート。
（態様１６）
態様１〜１５のいずれか１項に記載されたペット用吸収性シートにおいて、
前記表面シートは、エアスルー不織布により形成されていることを特徴とするペット用吸収性シート。
（態様１７）
態様１〜１６のいずれか１項に記載されたペット用吸収性シートにおいて、
前記中間シートは、２つのスパンボンド不織布層の間にメルトブローン不織布層を有する複合不織布からなることを特徴とするペット用吸収性シート。
（態様１８）
態様１〜１７のいずれか１項に記載されたペット用吸収性シートにおいて、
前記中間シート表面の面積は、前記コア層表面の面積よりも狭く形成され、
前記第１の被覆シートは、前記ペット用吸収性シートにおける他の領域とは異なった配色とされた第１の配色部が形成され、
前記第１の被覆シート表面の面積は、前記中間シート表面の面積よりも狭く形成され、
前記第２の被覆シートは、前記コア層裏面から前記コア層側面を経由して前記コア層表面の一部に亘り形成され、
前記第１の配色領域は、前記第２の被覆シートにより形成され、
前記第２の配色領域は、前記第１の被覆シートと、前記第２の被覆シートと、前記中間シートにより形成され、
前記第３の配色領域は、前記中間シートと前記第１の被覆シートにより形成されていることを特徴とするペット用吸収性シート。
（態様１９）
態様１〜１７のいずれか１項に記載されたペット用吸収性シートにおいて、
前記ペット用吸収性シートにおける他の領域とは異なる配色とされた第２の配色部と、前記ペット用吸収性シートにおける他の領域および前記第２の配色部とは異なる配色とされた第３の配色部を備える第１の配色シートを有し、
該第１の配色シートは、該第１の配色シートにおける前記排泄面側に形成された第１の配色シート表面と、該第１の配色シートにおける前記載置面側に形成された第１の配色シート裏面とを有し、
前記第１の配色シート表面は、前記コア層表面の面積よりも狭く形成され、
前記第１の配色領域は、前記コア層表面における前記第１の配色シートが配置されていない領域により形成され、
前記第２の配色領域は、前記第２の配色部により形成され、
前記第３の配色領域は、前記第３の配色部により形成されていることを特徴とするペット用吸収性シート。
（態様２０）
態様１９に記載されたペット用吸収性シートにおいて、
前記第１の配色シートが、前記第１の被覆シートであることを特徴とするペット用吸収性シート。
（態様２１）
態様１９に記載されたペット用吸収性シートにおいて、
前記第１の配色シートが、前記中間シートであることを特徴とするペット用吸収性シート。
（態様２２）
態様１〜１７のいずれか１項に記載されたペット用吸収性シートにおいて、
前記ペット用吸収性シートにおける他の領域とは異なる配色とされた第４の配色部を有する第２の配色シートを有し、
前記ペット用吸収性シートにおける他の領域および前記第４の配色部とは異なる配色とされた第５の配色部を有する第３の配色シートを有し、
前記第２の配色シートは、該第２の配色シートにおける前記排泄面側に形成された第２の配色シート表面と、該第２の配色シートにおける前記載置面側に形成された第２の配色シート裏面とを有し、
前記第３の配色シートは、該第３の配色シートにおける前記排泄面側に形成された第３の配色シート表面と、該第３の配色シートにおける前記載置面側に形成された第３の配色シート裏面とを有し、
前記第２の配色シート表面は、前記コア層表面の面積よりも狭く形成され、
前記第３の配色シート表面は、前記第２の配色シート表面の面積よりも狭く形成され、
前記第３の配色シートは、前記第２の配色シート表面よりも前記排泄面側に配置され、
前記第１の配色領域は、前記コア層表面における前記第２の配色シートおよび前記第３の配色シートが配置されていない領域により形成され、
前記第２の配色領域は、前記第４の配色部により形成され、
前記第３の配色領域は、前記第５の配色部により形成されていることを特徴とするペット用吸収性シート。
（態様２３）
態様２２に記載されたペット用吸収性シートにおいて、
前記第１の被覆シートが、一方の第１の被覆シートと、他方の第１の被覆シートにより形成され、
前記一方の第１の被覆シートが、前記第２の配色シートであり、
前記他方の第１の被覆シートが、前記第３の配色シートであることを特徴とするペット用吸収性シート。
（態様２４）
態様２２に記載されたペット用吸収性シートにおいて、
前記中間シートが、一方の中間シートと、他方の中間シートにより形成され、
前記一方の中間シートが、前記第２の配色シートであり、
前記他方の中間シートが、前記第３の配色シートであることを特徴とするペット用吸収性シート。
（態様２５）
態様２２に記載されたペット用吸収性シートにおいて、
前記第１の被覆シートが、前記第２の配色シートであり、
前記中間シートが、前記第３の配色シートであることを特徴とするペット用吸収性シート。
（態様２６）
態様１〜１７のいずれか１項に記載されたペット用吸収性シートにおいて、
第４の配色シートを有し、
該第４の配色シートは、第６の配色部と、該第６の配色部とは異なる配色とされた第７の配色部と、前記第６の配色部および前記第７の配色部とは異なる配色とされた第８の配色部とを有し、
前記第１の配色領域は、前記第６の配色部により形成され、
前記第２の配色領域は、前記第７の配色部により形成され、
前記第３の配色領域は、前記第８の配色部により形成されていることを特徴とするペット用吸収性シート。
（態様２７）
態様２６に記載されたペット用吸収性シートにおいて、
前記第６の配色部は、前記第４の配色シートに対し配色を施していないことを特徴とするペット用吸収性シート。
（態様２８）
態様２６または２７のいずれか１項に記載されたペット用吸収性シートにおいて、
前記第４の配色シートは、前記表面シートであることを特徴とするペット用吸収性シート。
（態様２９）
態様２６または２７のいずれか１項に記載されたペット用吸収性シートにおいて、
前記第４の配色シートは、前記中間シートであることを特徴とするペット用吸収性シート。
（態様３０）
態様２６または２７のいずれか１項に記載されたペット用吸収性シートにおいて、
前記第４の配色シートは、前記第１の被覆シートであることを特徴とするペット用吸収性シート。
（態様３１）
態様１〜１７のいずれか１項に記載されたペット用吸収性シートにおいて、
前記吸収性コアは、第９の配色部と、該第９の配色部とは異なる配色とされた第１０の配色部と、前記第９の配色部および前記第１０の配色部とは異なる配色とされた第１１の配色部とを有し、
前記第１の配色領域は、前記第９の配色部により形成され、
前記第２の配色領域は、前記第１０の配色部により形成され、
前記第３の配色領域は、前記第１１の配色部により形成されていることを特徴とするペット用吸収性シート。
（態様３２）
態様３１に記載されたペット用吸収性シートにおいて、
前記第９の配色部は、配色を施していないことを特徴とするペット用吸収性シート。
【符号の説明】
【０１２２】
１００、１０１、１０２、１０３、１０４、１０５、１０６、１０７、１０８、１０９、１１０、１１００  ペット用吸収性シート
１００Ａ  本体外縁部
１００Ｚ１  排泄面
１０Ｚ２  載置面
１１０  表面シート
１１１  畝部
１１２  溝部
１１３  開口部
１２０  中間シート（複合不織布）
１３０  配色領域
１３０Ａ  第１の配色領域
１３０Ｂ  第２の配色領域
１３０Ｃ  第３の配色領域
１４０  吸収体
１４０Ａ  吸収体外縁部
１４０Ｂ  吸収体外縁領域
１４０Ｃ  吸収体中央領域
１４０Ｙ  第１の吸収体端部
１４０Ｘ  第２の吸収体端部
１４１  コア層
１４１Ａ  コア層表面
１４１Ｂ  コア層裏面
１４１Ｃ  コア層側面
１４２  高吸収性ポリマー
１４３  被覆シート
１４３Ａ  第１の被覆シート
１４３ＡＡ  第１の被覆シート表面
１４３ＡＢ  第１の被覆シート裏面
１４３Ａ１  一方の第１の被覆シート
１４３Ｂ  第２の被覆シート
１４３ＢＡ  第２の被覆シート表面
１４３ＢＢ  第２の被覆シート裏面
１４３Ｂ１  一方の第２の被覆シート
１５０  接合部
１５１  表面側接合部
１５２  中間側接合部
１５３  吸収体側接合部
１５４  端部側接合部
１６０  裏面シート
２０１  第１の配色部
２０２  第２の配色部
２０３  第３の配色部
２０４  第４の配色部
２０５  第５の配色部
２０６  第６の配色部
２０７  第７の配色部
２０８  第８の配色部
２０９  第９の配色部
２１０  第１０の配色部
２１１  第１１の配色部
３０１  第１の配色シート
３０１Ａ  第１の配色シート表面
３０１Ｂ  第１の配色シート裏面
３０２  第２の配色シート
３０２Ａ  第２の配色シート表面
３０２Ｂ  第２の配色シート裏面
３０３  第３の配色シート
３０３Ａ  第３の配色シート表面
３０３Ｂ  第３の配色シート裏面
３０４  第４の配色シート表面
Ｄ１  外側方向
Ｄ２  内側方向
Ｙ  長手方向
Ｘ  長手交差方向
【図１】
0005557894.tif 000002
【図２】
0005557894.tif 000003
【図３】
0005557894.tif 000004
【図４】
0005557894.tif 000005
【図５】
0005557894.tif 000006
【図６】
0005557894.tif 000007
【図７】
0005557894.tif 000008
【図８】
0005557894.tif 000009
【図９】
0005557894.tif 000010
【図１０】
0005557894.tif 000011
【図１１】
0005557894.tif 000012
【図１２】
0005557894.tif 000013
【図１３】
0005557894.tif 000014
【図１４】
0005557894.tif 000015
【図１５】
0005557894.tif 000016
【図１６】
0005557894.tif 000017
【図１７】
0005557894.tif 000018
【図１８】
0005557894.tif 000019
【図１９】
0005557894.tif 000020